(57)【特許請求の範囲】
【請求項１】
支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具であって、
振れ止め用金具は、吊り部材を両面から挟んで固定するための一対の固定片からなる固定部と、固定部の左右に一対の固定片に挟まれるようにして設けられ振止部材を取り付けるための取付片からなる取付部とを備え、
固定部は、一対の固定片の左右に形成された締結孔を介してボルト及びナットの締結具で締結するとともに、左右どちらか一方又は双方の締結孔を一対の固定片に設けられた穿孔と切欠溝によって形成し、
取付部は、一対の固定片に挟まれる取付片の本体部分に締結孔を形成するための穿孔と、一対の固定片に挟まれた取付片の本体から折曲する折曲部分に振止部材を挿通するための挿通部とを備え、
吊り部材及び振止部材への施工前に固定部の締結孔に予め締結具を設けた上で、切欠溝を備えた固定片を吊り部材と平行に垂れ下がった状態で他方の固定片を吊り部材に当接させて、切欠溝を備えた固定片を一方の締結具を軸に回動させて、切欠溝を他方の締結具に差し込んだ後に締結具を締め付けることで、一対の固定片を吊り部材に後付け施工で固定できることを特徴とする振れ止め用金具。
【請求項２】
固定部の締結孔に設けられた締結具は、ナットの脱落を防止するためのナット脱落防止手段を備えたことを特徴とする請求項１記載の振れ止め用金具。
【請求項３】
固定部は、一対の固定片の左右に締結孔を形成した状態で一対の固定片同士を係止するための係止手段を備えたことを特徴とする請求項１又は２に記載の振れ止め用金具。
【請求項４】
取付部は、取付片に設けられた挿通部を切欠溝によって形成したことを特徴とする請求項１から３のいずれかに記載の振れ止め用金具。
【請求項５】
取付部は、振止部材に螺合するナットと挿通部の設けられた折曲部分に介在させて振止部材の脱落を防止するために切欠溝の開口側を塞ぐ脱落防止用ワッシャーを備えたことを特徴とする請求項４記載の振れ止め用金具。
【請求項６】
締結孔に締結具を設けた固定部が、ナットによる締め付けに対してボルトの伴回りを防止するための伴回り防止手段を備えたことを特徴とする請求項１から５のいずれかに記載の振れ止め用金具。
【発明の詳細な説明】
【技術分野】
【０００１】
本願発明は、空調機器や配管・架台等の支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具に関するものである。
【背景技術】
【０００２】
上記振れ止め用金具に関する先行技術文献としては、特許文献１に示すものが挙げられる。
【０００３】
特許文献１は、図８に示すものである。詳しくは、吊りボルトＰの側面に挟着する一対の挟着体１と、これら挟着体１の左右両端部を貫通して固定する一対の連結ボルト２と、この連結ボルト２に上下角度自在に連結され、吊りボルトＰに対して斜めに配設される長ボルトＱに連結する斜め支持体３とからなる。そして、ねじ山のピッチが異なる複数種類の吊りボルトＰに対し、夫々ネジの上下２カ所の谷部に共通して食い込む上下一対の係止突起１Ａを各挟着体１の内側面に設ける（連結片の境界部分に位置する湾曲面部に係止突起を設ける）ことを特徴とするものである。
【先行技術文献】
【特許文献】
【０００４】
【特許文献１】特開平１０−３１８２４１号公報
【発明の概要】
【発明が解決しようとする課題】
【０００５】
確かに、上記する特許文献１には、同明細書に記載されているように、既設の吊りボルトに後付けで装着することが極めて容易になるかもしれないが（同明細書［発明の効果］の欄を参照）、以下のような問題を有している。
（１）部品点数が非常に多い上に個々のパーツを１つずつ組み立てていく必要があり（同図面［図３］を参照）、これを施工現場で組み立てるのは極めて煩雑な作業となる。
（２）斜めに配設される長ボルトＱは、その下端部を斜め支持体３の締結孔３Ｂへ深く挿通すると斜め支持体３の屈折部分に接触（干渉）するため（同図面［図２］を参照）、振れ止め金具の取付位置が限定されてしまう。
（３）長ボルトＱを挿通する締結孔３Ｂを設け、斜め支持体３と長ボルトＱとを固定ナット４で連結するが（同明細書［００１４］第２文を参照）、長ボルトＱを締結孔３Ｂに挿通してからでないと下側のナット４を取り付けられず（螺合できず）、極めて煩雑な作業になる。
【０００６】
これに対して、本願発明者は、後付け施工が可能であるとともに、施工現場での作業性・安定性に優れた振れ止め用金具を提供すべく鋭意試験・研究を行い、本願発明を完成するに至った。
【課題を解決するための手段】
【０００７】
上記目的を達成するために、本願発明の第１の発明は、支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具であって、振れ止め用金具は、吊り部材を両面から挟んで固定するための一対の固定片からなる固定部と、固定部の左右に一対の固定片に挟まれるようにして設けられ振止部材を取り付けるための取付片からなる取付部とを備え、固定部は、一対の固定片の左右に形成された締結孔を介してボルト及びナットの締結具で締結するとともに、左右どちらか一方又は双方の締結孔を一対の固定片に設けられた穿孔と切欠溝によって形成し、取付部は、一対の固定片に挟まれる取付片の本体部分に締結孔を形成するための穿孔と、一対の固定片に挟まれた取付片の本体から折曲する折曲部分に振止部材を挿通するための挿通部とを備えたことを特徴とするものである。
第２の発明は、吊り部材及び振止部材への施工前に固定部と取付部を予め組み立ててあることを特徴とする同振れ止め用金具である。
第３の発明は、固定部の締結孔に設けられた締結具が、ナットの脱落を防止するためのナット脱落防止手段を備えたことを特徴とする同振れ止め用金具である。
第４の発明は、固定部が、一対の固定片の左右に締結孔を形成した状態で一対の固定片同士を係止するための係止手段を備えたことを特徴とする同振れ止め用金具である。
第５の発明は、取付部が、取付片に設けられた挿通部を切欠溝によって形成したことを特徴とする同振れ止め用金具である。
第６の発明は、取付部が、振止部材に螺合するナットと挿通部の設けられた折曲部分に介在させて振止部材の脱落を防止するために切欠溝の開口側を塞ぐ脱落防止用ワッシャーを備えたことを特徴とする同振れ止め用金具である。
第７の発明は、締結孔に締結具を設けた固定部が、ナットによる締め付けに対してボルトの伴回りを防止するための伴回り防止手段を備えたことを特徴とする同振れ止め用金具である。
【発明の効果】
【０００８】
上記した本願発明によれば、以下のような効果を有する。
（１）本願発明は、固定部が、一対の固定片の左右に形成された締結孔を介してボルト及びナットの締結具で締結するとともに、左右どちらか一方又は双方の締結孔を一対の固定片に設けられた穿孔と切欠溝によって形成しているので、先に締結具を締結した後で固定片を取り付けることができる。すなわち、まず切欠溝を備えた固定片を吊り部材と平行に垂れ下がった状態で他方の固定片を吊り部材に当接させて締結具で締結する。そして、切欠溝を備えた固定片を一方の締結具（ボルト）を軸に回動させて、切欠溝を他方の締結具（ボルト）に差し込んだ後に締結具を締め付けることで、一対の固定片を吊り部材に後付け施工で固定できるとともに、その後付け施工を簡易且つ確実に実施できる。
（２）予め固定部と取付部を締結具で組み立ててあることで、作業現場で組み立て作業をすることなく、固定片を吊り部材に簡易且つ確実に固定できる。
（３）固定部の締結孔に設けられた締結具が、ナットの脱落を防止するためのナット脱落防止手段を備えたことで、締結具で緩く固定部と取付部を組み立てた状態であっても、ナットが脱落することがなく、固定部と取付部の緩やかな組み立て状態を維持できて、その施工を簡易且つ確実に実施できる。
（４）固定部が、一対の固定片の左右に締結孔を形成した状態で一対の固定片同士を係止するための係止手段を備えることで、一対の固定片を吊り部材に固定する作業の作業性が向上するとともに、一対の固定片の吊り部材への固定がより確実なものとなる。
（５）取付部が、取付片の本体から折曲する折曲部分に振止部材を挿通するための挿通部として切欠溝を形成したことで、振止部材を取付部に後付け施工で取り付けることができる。
（６）取付部が、挿通部（切欠溝）の開口側を塞ぐ脱落防止用ワッシャーを備えることで、取付部から振止部材の脱落を簡易且つ確実に防止することができる。
（７）締結孔に締結具を設けた固定部が、ナットによる締め付けに対してボルトの伴回りを防止するための伴回り防止手段を備えることで、ボルトの伴回りを防止し、ナットによる締め付けを確実に行える。
（８）上記（１）〜（７）のように、本願発明は、吊り部材と振止部材を簡易且つ確実に連結できるので、耐震補助材として有効に使用できる。
【図面の簡単な説明】
【０００９】
【図１】振れ止め用金具の全体構造を示す分解図。
【図２】振れ止め用金具の使用状態を示す説明図。
【図３】振れ止め用金具の固定部の構造を示す説明図。
【図４】振れ止め用金具の取付部の構造を示す説明図。
【図５】振れ止め用金具の脱落防止用ワッシャーのその他の実施形態を示す説明図。
【図６】振れ止め用金具の取付片のその他の実施形態を示す説明図（１）。
【図７】振れ止め用金具の取付片のその他の実施形態を示す説明図（２）。
【図８】特許文献１に開示された先行技術を示す説明図。
【発明を実施するための形態】
【００１０】
本願発明の実施形態を図面に基づいて説明する。
図１は、本願発明に係る振れ止め用金具１０の全体構造を示す分解図である。
図１に示すように、振れ止め用金具１０は、吊り部材（図示省略）を両面から挟んで固定するための一対の固定片３０，３５からなる固定部２０と、固定部２０の左右に一対の固定片３０，３５に挟まれるようにして設けられ振止部材（図示省略）を取り付けるためのＬ字形の取付片５０からなる取付部４０とを備える。
【００１１】
固定部２０は、一対の固定片３０，３５の左右に形成された締結孔を介してボルト７１及びナット７２の締結具７０で締結する。この場合、一方の締結孔は一対の固定片３０，３５に設けられた穿孔３１，３６によって形成し、他方の締結孔は一対の固定片３０，３５に設けられた穿孔３２と切欠溝３７によって形成する。なお、切欠溝３７は上側に開口しているが、これを下側に開口するようにして使用してもよい。
また、締結具７０は、ナット７２の脱落を防止するためのナット脱落防止手段を備えるとよい。ナット脱落防止手段としては、例えば、１）ボルト７１のネジ山をつぶす、２）ボルト７１のネジ部にストッパー（樹脂の塗布等）を介在させる、３）ダブルナットやロックナットを取り付ける、など種々の手段を講じることができる。
【００１２】
また、取付部４０は、一対の固定片３０，３５に挟まれる取付片５０，５０の本体部分に締結孔を形成するための穿孔５１と、取付片５０，５０の本体から折曲する折曲部分に振止部材を挿通するための挿通部としての切欠溝５２とを備える。なお、符号６０は、切欠溝５２から振止部材の脱落を防止するために切欠溝５２の開口側を塞ぐ脱落防止用ワッシャーであり、符号７５は、全ネジ又は半ネジの振止部材に螺合して取付片５０の折曲部分と脱落防止用ワッシャー６０を挟み込み、振止部材を取付片５０に取り付けるナットである。
【００１３】
図２は、振れ止め用金具１０の使用状態を示す説明図である。
図２に示すように、振れ止め用金具１０は、空調機器や配管・架台等の支持材（図示省略）を支持するために天井側から垂下された全ネジからなる吊り部材８０に固定部２０を固定するとともに、支持材を振れ止めするために天井側から傾斜する全ネジからなる振止部材８５，８５を取付部４０，４０に取り付けて、吊り部材８０と振止部材８５，８５を連結するものである。ここで、取付部４０に取り付けた振止部材８５は、どの位置で取り付けられても他の部材、例えば、固定部２０や締結具７０（特にボルト７１）などに接触（干渉）することがないので、位置調整が容易で余裕をもって振止部材を収納できる。
【００１４】
図３は、振れ止め用金具１０の固定部２０の構造を示す説明図である。
まず図３（ａ）に示すように、まず予め固定部２０と取付部４０を締結具７０で緩く組み立てた上で、切欠溝３７を備えた固定片３５を吊り部材８０と平行に垂れ下がった状態で他方の固定片３０を吊り部材８０に当接させる（締結具７０にはナット脱落防止手段を備えているので、緩く組み立てた状態であっても固定部２０と取付部４０の分解の心配はなく安心して作業できる）。ここで、前記した特許文献１では挟着体（振れ止め用金具１０の固定部２０に相当）と斜め支持体（同取付部４０に相当）を組み立てた状態で吊り部材８０に当接させることは不可能であるが、固定部２０は、固定部２０と取付部４０を組み立てた状態にあっても、切欠溝３７を備えた固定片３５が吊り部材８０と平行に垂れ下がった状態にあるので、他方の固定片３０を吊り部材８０に当接させることが可能になる。また、固定片３０には、吊り部材８０との当接部位３３を湾曲状に形成しているので、吊り部材８０に対する固定片３０の当接・保持を簡易且つ確実に行える。
【００１５】
次に図３（ｂ）に示すように、次に切欠溝３７を備えた固定片３５を一方の締結具７０（正確にはボルト７１）を軸に回動（矢印方向）させて、切欠溝３７を他方の締結具７０（正確にはボルト７１）に差し込み締結具７０，７０を締め付ける。これによって、一対の固定片３０，３５を吊り部材８０に後付け施工で固定できるとともに、その後付け施工を簡易且つ確実に実施できる。ここで、固定部２０は、一対の固定片３０，３５を吊り部材８０に固定する作業の作業性が向上させるとともに、一対の固定片３０，３５の吊り部材８０への固定をより確実なものとするために、切欠溝３７を備えた固定片３５を切欠溝を備えてない固定片３０に係止するための係止手段を備える。すなわち、固定片３５に相対する固定片３０側へ延伸する係止突起３８を形成し、固定片３０にはこれに対応する係止溝３４を形成し、固定片３５が固定片３０に係止するものとなる。なお、固定片３０と同様に、固定片３５にも吊り部材８０との当接部位３９を湾曲状に形成しているので、吊り部材８０に対する固定片３５の当接・保持を簡易且つ確実に行える。また、締結具７０をナット７２で締め付ける場合に、ボルト７１の伴回りを防止するために伴回り防止突起７３を設けている。
【００１６】
図４は、振れ止め用金具１０の取付部４０の構造を示す説明図である。
まず図４（ａ）に示すように、取付片５０はその本体から折曲する折曲部分に切欠溝５２を備えて、この切欠溝５２に全ネジからなる振止部材８５を挿通する。この時、振止部材８５に予めナット７５，７５を取り付けておく（螺合しておく）ことができる（前記の特許文献１では振止部材８５の挿通後でなければ、下側ナットを取り付けることができなかった）。
次に図４（ｂ）に示すように、取付片５０を振止部材８５に固定するために用いられるナット７５と切欠溝５２の設けられた折曲部分との間に脱落防止用ワッシャー６０を介在させる。
そして図４（ｃ）に示すように、振止部材８５に螺合したナット７５，７５で取付片５０（折曲部分）及び脱落防止用ワッシャー６０を締め付ける。これによって、取付部４０は、振止部材８５を取付片５０に後付け施工で取り付けることができる。また、取付部４０は、脱落防止用ワッシャー６０で切欠溝５２の開口側を塞ぐことになり、取付部４０から振止部材８５の脱落を簡易且つ確実に防止することができる。
【００１７】
図５は、脱落防止用ワッシャーのその他の実施形態を示す説明図である。
図４（ｂ）（ｃ）に示した脱落防止用ワッシャー６０は、当接する取付片５０の切欠溝５２の先端側を折り曲げた起立部５３，５３によって取付片５０との当接を維持される。  一方、図５に示す脱落防止用ワッシャー６５は、その両端を略Ｓ字形に折り曲げた保持部６６，６６を備える。そして、脱落防止用ワッシャー６５は、この保持部６６，６６の弾性力によって取付片５０との当接を維持される。
【００１８】
図６は、取付片のその他の実施形態を示す説明図（１）であり、取付片の外観を（ａ）は平面図、（ｂ）は側面図、（ｃ）は正面図で図示したものである。
図６に示す取付片５５が、図１及び図４等に示す取付片５０と異なるのは、振止部材を挿通するための切欠溝５６を折曲部分の側面（サイド）に形成した点にある。
【００１９】
図７は、取付片のその他の実施形態を示す説明図（２）であり、取付片の外観を（ａ）は平面図、（ｂ）は側面図、（ｃ）は正面図で図示したものである。
図７に示す取付片５７が、図１及び図４等に示す取付片５０や図６に示す取付片５５と異なるのは、振止部材を挿通するための切欠溝５８を本体部分から折曲部分の中心にわたってＬ字形に形成した点にある。
【産業上の利用可能性】
【００２０】
本願発明に係る振れ止め用金具は、空調機器や配管・架台等の支持材を支持するために天井側から垂下された吊り部材（全ネジ・半ネジ）と、支持材を振れ止めするために天井側から傾斜して吊り部材に取り付けられる振止部材（全ネジ・半ネジ）とを連結するために広く利用できるものである。特に、既に吊り部材や振止部材が配設された場合の後付け施工が可能な振れ止め用金具として広く利用できるものである。
【符号の説明】
【００２１】
１０  振れ止め用金具
２０  固定部
３０  固定片
３１  穿孔
３２  穿孔
３３  当接部位
３４  係止溝
３５  固定片
３６  穿孔
３７  切欠溝
３８  係止突起
３９  当接部位
４０  取付部
５０  取付片
５１  穿孔
５２  切欠溝
５３  起立部
５５  取付片
５６  切欠溝
５７  取付片
５８  切欠溝
６０  脱落防止用ワッシャー
６５  脱落防止用ワッシャー
６６  保持部
７０  締結具
７１  ボルト
７２  ナット
７３  伴回り防止突起
７５  ナット
８０  吊り部材
８５  振止部材
【図１】
0005643595.tif 000002
【図２】
0005643595.tif 000003
【図３】
0005643595.tif 000004
【図４】
0005643595.tif 000005
【図５】
0005643595.tif 000006
【図６】
0005643595.tif 000007
【図７】
0005643595.tif 000008
【図８】
0005643595.tif 000009